(57)【要約】【課題】ケースの機構収容空間の容積を低減させることなく、ストラップのストラップ取付孔への挿通を容易なものとしかつケースが把持された際に違和感を覚えさせることのないストラップ取付部が設けられたカメラを提供する。【解決手段】機構収容空間２６を画成するケース１１にストラップ取付部４０が設けられたカメラ１０である。ストラップ取付部４０は、偏向側壁（２７）からケース１１と一体的に外方へ延出されかつ上壁面１７と底壁面１８とを滑らかな一様な面で上下方向に架け渡す掌調和壁面４３を有する突条体４１に、機構収容空間２６から隔たれたストラップ挿通孔４５が形成されて構成され、掌調和壁面４３は、それを延長して形成した仮想側面Ｉよりもケース１１における偏向側壁（２７）をレリーズボタン２５側に位置させるように設定され、かつ掌への押圧力を分散させるべく架け渡し方向に直交する方向で見て所定の長さ寸法とされている。【選択図】図６
2008203505.tif 000002
【特許請求の範囲】
【請求項１】
カメラ機構を収容する機構収容空間を画成するケースに、ストラップの取り付けを可能とするストラップ取付部が設けられたカメラであって、
撮影光軸に沿う方向を前後方向とし、かつ撮影光軸に直交する方向を上下方向とし、さらに上下方向および前後方向に直交する方向を左右方向とし、しかも前記ケースにおいて前記カメラ機構の一部を構成するレリーズボタンが露出された壁面を上壁面とし前記ケースの下端の輪郭を形成する壁面を底壁面として、
前記レリーズボタンは、前記上壁面において左右いずれかの側に偏って配され、
前記ストラップ取付部は、前記ケースのうち左右方向で見た前記レリーズボタンの偏向側で前記機構収容空間を画成する偏向側壁から前記ケースと一体的に外方へ延出されかつ前記上壁面と前記底壁面とを滑らかな一様な面で上下方向に架け渡す掌調和壁面を有する突条体に、ストラップの挿通を許しつつ前記機構収容空間から隔たれたストラップ挿通孔が形成されて構成され、
前記掌調和壁面は、該掌調和壁面を延長して形成した仮想側面よりも前記ケースにおける前記偏向側壁を前記レリーズボタン側に位置させるように設定され、かつ掌への押圧力を分散させるべく架け渡し方向に直交する方向で見て所定の長さ寸法とされていることを特徴とするカメラ。
【請求項２】
前記ストラップ取付部の前記掌調和壁面は、前記ケースの後壁面と協働して掌に調和するように該後壁面との近接位置における該後壁面との角度が鈍角に設定されていることを特徴とする請求項１に記載のカメラ。
【請求項３】
前記ケースの後壁面には、前記ストラップ取付部の近傍の上半部に把持するための指の滑り止め加工が施された滑止部が設けられ、
前記ストラップ取付部の前記掌調和壁面は、前記ケースの前記偏向側壁が形成する偏向側壁面に沿うように延在しつつ前記ケースの後壁面に近接され、前記ストラップ取付部を掌で覆われるように前記ケースが前壁面と前記後壁面とを挟み込んで把持されるに際し、前記レリーズボタンに人差し指が宛がわれ、かつ前記滑止部に親指が宛がわれ、しかも前記前壁面側から親指側へ前記ケースが押圧された状態において、前記後壁面と協働して親指の付け根近傍の掌に調和するように前記後壁面との近接位置における該後壁面との角度が鈍角に設定されていることを特徴とする請求項１に記載のカメラ。
【請求項４】
前記ストラップ取付部を構成する前記突条体において、後方に臨む面が前記掌調和壁面とされ、かつ前方に臨む面が取付前壁面とされ、
前記ストラップ挿通孔は、前記掌調和壁面を開口する後端開口部と、前記取付前壁面を開口する前端開口部とを連通するように前記突条体を貫通していることを特徴とする請求項２または請求項３に記載のカメラ。
【請求項５】
前記後端開口部は、前記掌調和壁面の延在方向に沿って点在する複数の後端開口部分からなり、複数の該後端開口部分が各々前記前端開口部に連通されていることを特徴とする請求項４に記載のカメラ。
【請求項６】
前記各後端開口部分のうち少なくとも１つは、前記掌調和壁面の延在方向で見て、他の該各後端開口部分よりも長孔とされていることを特徴とする請求項５に記載のカメラ。
【請求項７】
前記ケースは、前方に位置する前方ケースと、後方に位置する後方ケースと、該後方ケースと前記前方ケースとを前後方向に連結する中間ケースとを有し、
該中間ケースは、前記前方ケースおよび前記後方ケースと協働して前記レリーズボタンの偏向側の前記偏向側壁を形成しつつ前記前方ケースおよび前記後方ケースよりも延出されることにより前記偏向側壁の外方に前記ストラップ取付部となる前記突条体を構成していることを特徴とする請求項１ないし請求項６のいずれか１項に記載のカメラ。
【請求項８】
前記突条体は、上下方向に直交する面に沿う断面で見て、前記中間ケースの延在方向に沿って該中間ケースの前端面から延長されて前方に臨む面で前記取付前壁面を構成し、該取付前壁面に連続しつつ前記後方ケースより形成される前記ケースの前記後壁面へ向かうように前後方向に対して傾斜された面で前記掌調和壁面を形成していることを特徴とする請求項７に記載のカメラ。
【請求項９】
前記ストラップ取付部には、前記ストラップ挿通孔よりも下方に、前記カメラ機構への接続を可能とする接続端子を格納するように前記掌調和壁面を開口する端子格納空間と、
閉成状態で前記掌調和壁面の一部を形成しつつ前記端子格納空間を遮蔽するように該端子格納空間の開口部を開閉自在とされた端子遮蔽蓋とが設けられていることを特徴とする請求項１ないし請求項８のいずれか１項に記載のカメラ。
【請求項１０】
携帯用小型電子機構を収容する機構収容空間を画成するケースに、ストラップの取り付けを可能とするストラップ取付部が設けられた携帯用小型電子機器であって、
携帯用小型電子機器を使用すべく前記ストラップ取付部を掌で覆うように把持する際に、使用者に対向される側を後壁面とし、かつ使用者の目線に沿う方向を前後方向とし、さらに前記ケースにおいて上方の輪郭を形成する壁面を上壁面とし、しかも該上壁面の下方で前記ケースの輪郭を形成する壁面を底壁面とし、ついで前後方向および上下方向を含む面に直交する方向と左右方向として、
前記ストラップ取付部は、左右いずれかの側面に配され、該側面が位置される側で前記機構収容空間を画成する画成側壁から前記ケースと一体的に外方へ延出されかつ前記上壁面と前記底壁面とを滑らかな一様な面で上下方向に架け渡す掌調和壁面を有する突条体に、ストラップの挿通を許しつつ前記機構収容空間から隔たれたストラップ挿通孔が形成されて構成され、
前記掌調和壁面は、該掌調和壁面を延長して形成した仮想側面よりも前記ケースにおける前記画成側壁を内方に位置させるように設定され、かつ掌への押圧力を分散させるべく架け渡し方向に直交する方向で見て所定の長さ寸法とされていることを特徴とする携帯用小型電子機器。
【発明の詳細な説明】
【技術分野】
【０００１】
本発明は、ストラップの取り付けが可能とされたカメラおよび携帯用小型電子機器に関する。
【背景技術】
【０００２】
従来、携帯可能な小型電子機器としてカメラ、携帯電話、ＰＤＡ（Ｐｅｒｓｏｎａｌ Ｄｉｇｉｔａｌ Ａｓｓｉｓｔａｎｔ：携帯情報端末）、携帯型音楽プレーヤー等が知られている。このような携帯用小型電子機器には、ケースにストラップを取り付けるためのストラップ取付部を設けることにより携帯性を向上させているものがある。
【０００３】
このようなストラップ取付部には、携帯用小型電子機器のケースから部分的に突起する突起部にストラップの挿通を可能とするストラップ取付孔が形成されて構成されているものがある（例えば、特許文献１参照）。この特許文献１では、携帯用小型電子機器のうちのカメラが例示されている。このものでは、突起部にストラップ取付孔が形成されているので、ストラップをストラップ取付孔に容易に挿通することができるが、ケースの輪郭形状に対してストラップ取付部が部分的に突起していることから、撮影するためにカメラを把持するとストラップ取付部が掌に当たってしまう。このように掌に突起物が当たると、使用者は違和感を覚えてしまう。
【０００４】
また、ストラップ取付部には、ケースの輪郭形状の一部を形作る同一の壁面に両端を開口させ当該壁部内で連通するように形成されたストラップ取付孔を設けることが考えられている。このものでは、ケースの輪郭形状に対してストラップ取付部が突起していないので、例えば撮影するためにカメラを把持してもストラップ取付部が突起物として掌に当たることを防止することができるが、ストラップ取付孔の入口と出口とが同一平面に位置されていることから、ストラップをストラップ取付孔に挿通することが困難である。
【０００５】
そこで、ストラップ取付部では、ケースの異なる２つの面が交錯する角部において、一端が一方の壁面に開口しかつ他端が他方の壁面に開口して本体ケースの内方側で両開口を連通するように形成されたストラップ取付孔を設けて構成されているものがある（例えば、特許文献２参照）。この特許文献２では、携帯用小型電子機器のうちのカメラ付携帯電話が例示されている。このものでは、ストラップ取付部がケースの輪郭形状に対して突起していないので、カメラ付携帯電話を把持した際にストラップ取付部が突起物として掌に当たることを防止することができ、ストラップ取付孔の入口と出口とがケースの角部の異なる壁面に位置されているので、ストラップをストラップ取付孔に容易に挿通することができる。
【特許文献１】特開２００３−８４３５８号公報
【特許文献２】特開２００４−２３４８６１号公報
【発明の開示】
【発明が解決しようとする課題】
【０００６】
ところで、近年、携帯用小型電子機器では、その各種機能を向上させつつ小型化することが求められており、各種機能のための機構（例えばカメラにあってはカメラ機構）が複雑な構造となる一方で当該機構を収容するケースが小型化されていることから、ケースにおける機構収容空間を効率良く利用できるように機構のレイアウトが工夫されている。このことから、特許文献２のストラップ取付部のように、ストラップ取付孔を本体ケースの内方に位置させて機構収容空間における収容可能な容積を低減させることは好ましくない。
【０００７】
本発明は、上記の問題に鑑みて為されたもので、ケースの機構収容空間の容積を低減させることなく、ストラップのストラップ取付孔への挿通を容易なものとしかつケースが把持された際に違和感を覚えさせることのないストラップ取付部が設けられたカメラおよび携帯用小型電子機器を提供することを目的としている。
【課題を解決するための手段】
【０００８】
上記課題を解決するため、請求項１に係る発明は、カメラ機構を収容する機構収容空間を画成するケースに、ストラップの取り付けを可能とするストラップ取付部が設けられたカメラであって、撮影光軸に沿う方向を前後方向とし、かつ撮影光軸に直交する方向を上下方向とし、さらに上下方向および前後方向に直交する方向を左右方向とし、しかも前記ケースにおいて前記カメラ機構の一部を構成するレリーズボタンが露出された壁面を上壁面とし前記ケースの下端の輪郭を形成する壁面を底壁面として、前記レリーズボタンは、前記上壁面において左右いずれかの側に偏って配され、前記ストラップ取付部は、前記ケースのうち左右方向で見た前記レリーズボタンの偏向側で前記機構収容空間を画成する偏向側壁から前記ケースと一体的に外方へ延出されかつ前記上壁面と前記底壁面とを滑らかな一様な面で上下方向に架け渡す掌調和壁面を有する突条体に、ストラップの挿通を許しつつ前記機構収容空間から隔たれたストラップ挿通孔が形成されて構成され、前記掌調和壁面は、該掌調和壁面を延長して形成した仮想側面よりも前記ケースにおける前記偏向側壁を前記レリーズボタン側に位置させるように設定され、かつ掌への押圧力を分散させるべく架け渡し方向に直交する方向で見て所定の長さ寸法とされていることを特徴とする。
【０００９】
上記した構成によれば、ストラップ取付部が、ケース偏向側壁から延出された突条体にストラップ取付孔が形成されることにより構成されていることから、ケースの機構収容空間の容積を低減させることなく、ストラップのストラップ取付孔への挿通を容易なものとすることができる。
【００１０】
また、ストラップ取付部を構成する突条体は、掌調和壁面を有しており、掌調和壁面が仮想側面よりもケースにおける偏向側壁をレリーズボタン側に位置させるように設定されかつ掌への押圧力を分散させるべく架け渡し方向に直交する方向で見て所定の長さ寸法とされていることから、使用者が撮影するためにケースをレリーズボタンの偏向側である偏向側壁側で把持しても、掌調和壁面が把持する掌に対して押圧力を分散させつつ面当接するとともに、掌調和壁面が上壁面から連続していることから、使用者が撮影するためにレリーズボタンを押し下げても、レリーズボタンが設けられた上壁面から掌調和壁面に至る間において部分的に掌に接触することがないので、使用者が違和感を覚えることを防止することができる。
【００１１】
請求項２に係る発明は、請求項１に記載のカメラであって、前記ストラップ取付部の前記掌調和壁面は、前記ケースの後壁面と協働して掌に調和するように該後壁面との近接位置における該後壁面との角度が鈍角に設定されていることを特徴とする。
【００１２】
上記した構成によれば、掌調和壁面と後壁面との角度が鈍角とされていることから、例えば、使用者が掌調和壁面に宛がった掌を後壁面にまで跨るようにケースに接触させた場合、掌に違和感を覚えることはなく、換言すると、掌調和壁面から後壁面に至る領域が掌にとてもよく馴染むことから、安定した状態で確実に把持しつつ撮影操作することができる。
【００１３】
請求項３に係る発明は、請求項１に記載のカメラであって、前記ケースの後壁面には、前記ストラップ取付部の近傍の上半部に把持するための指の滑り止め加工が施された滑止部が設けられ、前記ストラップ取付部の前記掌調和壁面は、前記ケースの前記偏向側壁が形成する偏向側壁面に沿うように延在しつつ前記ケースの前記後壁面に近接され、前記ストラップ取付部を掌で覆われるように前記ケースが前壁面と前記後壁面とを挟み込んで把持されるに際し、前記レリーズボタンに人差し指が宛がわれ、かつ前記滑止部に親指が宛がわれ、しかも前記前壁面側から親指側へ前記ケースが押圧された状態において、前記後壁面と協働して親指の付け根近傍の掌に調和するように前記後壁面との近接位置における該後壁面との角度が鈍角に設定されていることを特徴とする。
【００１４】
上記した構成によれば、掌調和壁面から後壁面に至る領域がレリーズボタンを操作する側の手にとてもよく馴染むことから、安定した状態で確実に把持しつつ撮影操作することができる。
【００１５】
請求項４に係る発明は、請求項２または請求項３に記載のカメラであって、前記ストラップ取付部を構成する前記突条体において、後方に臨む面が前記掌調和壁面とされ、かつ前方に臨む面が取付前壁面とされ、前記ストラップ挿通孔は、前記掌調和壁面を開口する後端開口部と、前記取付前壁面を開口する前端開口部とを連通するように前記突条体を貫通していることを特徴とする。
【００１６】
上記した構成によれば、ストラップ挿通孔が、後方に臨む掌調和壁面に開口する後端開口部と前方に臨む取付前壁面とを連通するように突条体を貫通していることから、機構収容空間の容積を低減させることなくストラップの挿通を容易とすることができる。
【００１７】
請求項５に係る発明は、請求項４に記載のカメラであって、前記後端開口部は、前記掌調和壁面の延在方向に沿って点在する複数の後端開口部分からなり、複数の該後端開口部分が各々前記前端開口部に連通されていることを特徴とする。
【００１８】
上記した構成によれば、複数の後端開口部分の設定位置に応じて、ストラップの様々な取り付け方を適宜選択することができる。
【００１９】
請求項６に係る発明は、請求項５に記載のカメラであって、前記各後端開口部分のうち少なくとも１つは、前記掌調和壁面の延在方向で見て、他の該各後端開口部分よりも長孔とされていることを特徴とする。
【００２０】
上記した構成によれば、少なくとも一つの後端開口部分が長孔とされていることから、例えば、帯状のストラップであっても取り付けることができる。
【００２１】
また、各後端開口部分のうち最も上方に位置された後端開口部分を長孔とすると、例えば、非使用時には当該長孔の下端近傍にストラップを取り付けてカメラをぶら提げることにより、カメラの姿勢を安定させて持ち運ぶことができ、使用時（撮影時）には当該長孔の上端にストラップを移動させることにより撮影操作の際ストラップがレリーズボタンを操作する側の手に干渉することを防止することができる。
【００２２】
請求項７に係る発明は、請求項１ないし請求項６のいずれか１項に記載のカメラであって、前記ケースは、前方に位置する前方ケースと、後方に位置する後方ケースと、該後方ケースと前記前方ケースとを前後方向に連結する中間ケースとを有し、該中間ケースは、前記前方ケースおよび前記後方ケースと協働して前記レリーズボタンの偏向側の前記偏向側壁を形成しつつ前記前方ケースおよび前記後方ケースよりも延出されることにより前記偏向側壁の外方に前記ストラップ取付部となる前記突条体を構成していることを特徴とする。
【００２３】
上記した構成によれば、前方ケースおよび後方ケースよりも中間ケースが延出させることによりストラップ取付部となる突条体を構成していることから、突条体をすなわちストラップ取付部を容易に形成することができる。
【００２４】
請求項８に係る発明は、請求項７に記載のカメラであって、前記突条体は、上下方向に直交する面に沿う断面で見て、前記中間ケースの延在方向に沿って該中間ケースの前端面から延長されて前方に臨む面で前記取付前壁面を構成し、該取付前壁面に連続しつつ前記後方ケースより形成される前記ケースの前記後壁面へ向かうように前後方向に対して傾斜された面で前記掌調和壁面を形成していることを特徴とする。
【００２５】
上記した構成によれば、取付前壁面に連続しつつ後方ケースより形成されるケースの後壁面へ向かうように前後方向に対して傾斜された面で掌調和壁面が形成されていることから、レリーズボタンを操作する側の手で確実にかつ容易に把持することができる。
【００２６】
請求項９に係る発明は、請求項１ないし請求項８のいずれか１項に記載のカメラであって、前記ストラップ取付部には、前記ストラップ挿通孔よりも下方に、前記カメラ機構への接続を可能とする接続端子を格納するように前記掌調和壁面を開口する端子格納空間と、閉成状態で前記掌調和壁面の一部を形成しつつ前記端子格納空間を遮蔽するように該端子格納空間の開口部を開閉自在とされた端子遮蔽蓋とが設けられていることを特徴とする。
【００２７】
上記した構成によれば、外部の機器との接続が可能であるとともに、端子遮蔽蓋が端子格納空間を遮蔽することにより、接続端子が露見することを防止することができ、かつレリーズボタンを操作する側の手に違和感を覚えさせることを防止することができる。
【００２８】
請求項１０に係る発明は、携帯用小型電子機構を収容する機構収容空間を画成するケースに、ストラップの取り付けを可能とするストラップ取付部が設けられた携帯用小型電子機器であって、携帯用小型電子機器を使用すべく前記ストラップ取付部を掌で覆うように把持する際に、使用者に対向される側を後壁面とし、かつ使用者の目線に沿う方向を前後方向とし、さらに前記ケースにおいて上方の輪郭を形成する壁面を上壁面とし、しかも該上壁面の下方で前記ケースの輪郭を形成する壁面を底壁面とし、ついで前後方向および上下方向を含む面に直交する方向と左右方向として、前記ストラップ取付部は、左右いずれかの側面に配され、該側面が位置される側で前記機構収容空間を画成する画成側壁から前記ケースと一体的に外方へ延出されかつ前記上壁面と前記底壁面とを滑らかな一様な面で上下方向に架け渡す掌調和壁面を有する突条体に、ストラップの挿通を許しつつ前記機構収容空間から隔たれたストラップ挿通孔が形成されて構成され、前記掌調和壁面は、該掌調和壁面を延長して形成した仮想側面よりも前記ケースにおける前記画成側壁を内方に位置させるように設定され、かつ掌への押圧力を分散させるべく架け渡し方向に直交する方向で見て所定の長さ寸法とされていることを特徴とする。
【００２９】
上記した構成によれば、ストラップ取付部が、ケース偏向側壁から延出された突条体にストラップ取付孔が形成されることにより構成されていることから、ケースの機構収容空間の容積を低減させることなく、ストラップのストラップ取付孔への挿通を容易なものとすることができる。
【００３０】
また、ストラップ取付部を構成する突条体は、掌調和壁面を有しており、掌調和壁面が仮想側面よりもケースにおける画成側壁を内方に位置させるように設定されかつ掌への押圧力を分散させるべく架け渡し方向に直交する方向で見て所定の長さ寸法とされていることから、使用者が撮影するためにケースを画成側壁側で把持しても、掌調和壁面が把持する掌に対して押圧力を分散させつつ面当接するとともに、掌調和壁面が上壁面から連続していることから、上壁面から掌調和壁面に至る間において部分的に掌に接触することがないので、使用者が違和感を覚えることを防止することができる。
【発明の効果】
【００３１】
本発明に係るカメラおよび携帯用小型電子機器では、ケースの機構収容空間の容積を低減させることなく、ストラップのストラップ取付孔への挿通を容易なものとしかつケースが把持された際に違和感を覚えることを防止することができる。
【発明を実施するための最良の形態】
【００３２】
以下に、本発明に係るカメラの各実施例を図面を参照しつつ説明する。
【実施例】
【００３３】
図１は、本実施例のカメラ１０を模式的に示す正面図であり、図２は、カメラ１０を模式的に示す背面図である。以下の説明では、カメラ１０を基準として、撮影光軸方向を前後方向（被写体側が前方）とし（図４の矢印ＦＢ参照）、カメラ１０を正面視した高さ方向を上下方向とし（図１の矢印ＵＤ参照）、前後方向および上下方向を含む面に直交する方向を左右方向（カメラ１０を正面視して左手が右側方向となる）とする（図１の矢印ＬＲ参照）。図３は、図２に示す矢印Ａ１からカメラ１０を見た右側面図であり、図４は、カメラ１０を示す上面図（平面図）であり、図５は、図４におけるストラップ取付部４０近傍を部分的に拡大して示す上面図であり、図６は、図５に示す矢印Ａ２からカメラ１０を見た模式的な斜視図である。
【００３４】
カメラ１０は、携帯可能な小型電子機器の一例としてのデジタルカメラであり、図示は略すが、被写体を撮影する等のカメラとしての機能のためのカメラ機構がケース１１の機構収容空間２６（図４参照）に収容されて構成されている。本実施例のカメラ１０は、図示は略すが、カメラ機構において、ＣＣＤ撮像素子で画像信号を電気信号に変換し、この電気信号をデジタル処理することにより被写体の静止画像（スティル画像）または動画像（ムービー画像）のデジタル画像データを得て、このデジタル画像データをメモリーカードに格納する構成とされている。このカメラ機構（図示せず）が収容される機構収容空間２６（図４参照）はケース１１により画成されている。
【００３５】
ケース１１は、前方ケース１２と後方ケース１４とが中間ケース１３により前後方向に連結されて構成されている。ケース１１は、前後方向に位置する前壁面１５および後壁面１６と（図３および図４参照）、上下方向に位置する上壁面１７および底壁面１８と（図１ないし図３参照）、左右方向に位置する左側壁面１９および右側壁面２０と（図１および図２参照）により全体の輪郭が大略形成されている。
【００３６】
前壁面１５は、図１に示すように、前方ケース１２により形成されており、カメラ機構（図示せず）の一部を構成するレンズ２１が設けられ、このレンズ２１の光軸方向が撮影光軸方向となる。
【００３７】
後壁面１６は、図２に示すように、後方ケース１４により形成されており、滑止部２２と、カメラ機構（図示せず）の一部を構成する液晶モニタ２３および各種操作ボタン２４とが設けられている。滑止部２２は、後壁面１６における右側上半部の所定の領域内で、多数の小突起が矩形状に整列されて形成されており、宛がわれた指の滑り止めとして機能する。
【００３８】
上壁面１７、底壁面１８、左側壁面１９および右側壁面２０は、図３および図４に示すように、前方から順に連結された前方ケース１２、中間ケース１３および後方ケース１４が協働して形成している。上壁面１７には、カメラ機構（図示せず）の一部を構成するレリーズボタン２５が設けられている。本実施例では、レリーズボタン２５は、上壁面１７において右側に偏って配されている。
【００３９】
カメラ１０では、各種操作ボタン２４を適宜操作することにより、各種機能を選択することができ、レリーズボタン２５を押圧操作することにより液晶モニタ２３に画像を映し出しつつ被写体を撮影することができる。
【００４０】
本発明に係るカメラ１０では、右側部２０にストラップ取付部４０が設けられており、このストラップ取付部４０の構造が従来のカメラとは異なる構造とされている。これを以下で説明する。
【００４１】
カメラ１０では、中間ケース１３が、前方ケース１２および後方ケース１４よりも右側に延出されており、この前方ケース１２および後方ケース１４よりも延出された箇所により突条体４１が形成されている。換言すると、機構収容空間２６の右側部が、図５に示すように、ケース１１における右側壁２７（偏向側壁に相当し、請求項９では画成側壁に相当する）、すなわち前方ケース１２における前方右側壁部１２ａと、中間ケース１３における右側隔壁部１３ａと、後方ケース１４における後方右側壁部１４ａとにより画成されていることから、中間ケース１３において、上記した右側隔壁部１３ａ（機構収容空間２６）よりも右側（ケース１１における外方右側）に延出された箇所が、突条体４１に相当することとなる。このため、突条体４１は、前方ケース１２における前方右側壁部１２ａにより形成される前方右側壁面１２ｂおよび後方ケース１４における後方右側壁部１４ａにより形成される後方右側壁面１４ｂから右側に延出されている。
【００４２】
突条体４１は、上下方向に直交する断面で見ると（図５参照）、取付前壁面４２とこれに連続する掌調和壁面４３とを有し、この掌調和壁面４３と取付前壁面４２との連続箇所（稜線）４４が角を落とされて（面取りされて）曲面とされている。
【００４３】
取付前壁面４２は、上下方向に直交する断面で見て、前方ケース１２における前方右側壁面１２ｂの後端位置１２ｃから左右方向に大略沿って右側へ向けて延在して連続箇所４４に至る。掌調和壁面４３は、取付前壁面４２よりも後方側で取付前壁面４２に連続すべく連続箇所４４から後方へ向かうに連れて左側へ向かうように前後方向に対して傾斜する方向に延在し、後方ケース１４における後方右側壁面１４ｂの前端位置１４ｃに至る。このため、取付前壁面４２は、突条体４１において前方に臨む面となり、掌調和壁面４３は、突条体４１において後方に臨む面となり、取付前壁面４２および掌調和壁面４３は、前後方向で見た同一線上に位置されていることとなる。
【００４４】
また、取付前壁面４２および掌調和壁面４３（突条体４１）は、略一定の幅寸法で上下方向に延在する構成とされている。この掌調和壁面４３と取付前壁面４２との連続箇所４４が、ケース１１における右側端部の輪郭（以下右側輪郭稜線４４という）となり、当該右側輪郭稜線４４が、前方ケース１２が形成する前方右側壁面１２ｂおよび後方ケース１４が形成する後方右側壁面１４ｂと略平行に上下方向に延在している。このため、カメラ１０を前方から正面視すると、図１に示すように、突条体４１（後述するようにストラップ取付部４０）が、左端部で一定の幅寸法で上下方向に延在し、カメラ１０を後方から正面視すると、図２に示すように、突条体４１（後述するようにストラップ取付部４０）が、右端部で一定の幅寸法で上下方向に延在している。
【００４５】
ここで、略一定の幅寸法で延在する掌調和壁面４３は、所定の幅寸法（後述する架け渡し方向に直交する方向で見た長さ寸法）とされている。この掌調和壁面４３における所定の幅寸法とは、後述するように、カメラ１０（ケース１１）の右端部を掌に収めるように右手で把持する場面（図９参照）において、一般的な大きさ寸法の掌に対して、点や線で当接していると感じさせるのではなく面で当接していると感じさせる幅寸法（長さ寸法）のことを言う。このことから、掌調和壁面４３の幅寸法は、一般的な掌の大きさ寸法、ケース１１全体の大きさ寸法、当該ケース１１に対する右側壁面２０の大きさ寸法等を勘案して設定されている。
【００４６】
また、掌調和壁面４３は、上壁面１７のうち中間ケース１３が形成する箇所（１３ｂ）と、底壁面１８のうち中間ケース１３が形成する箇所（１３ｂ）とを、滑らかに連続しつつ上下方向に架け渡するように形成されている。換言すると、突条体４１は、ケース１１の上壁面１７の一部を形成する中間ケース１３の中間上壁面１３ｂの延在方向（左右方向）に対して、上下方向と直交する平面内で角度的に交わる線に沿う稜線（以下掌調和壁面上端部４３ａという）を形成するように（図５参照）、中間上壁面１３ｂと掌調和壁面４３との位置関係が設定され、かつケース１１の底壁面１８の一部を形成する中間ケース１３の中間底壁面１３ｃの延在方向（左右方向）に対して、当該中間底壁面１３ｃに等しい高さ位置で掌調和壁面下端部４３ｂと平行な線に沿う稜線（以下掌調和壁面下端部４３ｂという）を形成するように、中間底壁面１３ｃと掌調和壁面４３との位置関係が設定されている。このため、中間ケース１３は、ケース１１の左側面の一部を形成する中間左側面１３ｄ、中間上壁面１３ｂ、掌調和壁面４３および中間底壁面１３ｃにより、滑らかに連続する帯状面で矩形状の環を描くこととなる。
【００４７】
さらに、掌調和壁面４３は、図５に示すように、後方ケース１４により形成されるケース１１における後壁面１６との角度θが鈍角となるように設定されている。この角度θは、ストラップ取付部４０を掌で覆いかつケース１１における前壁面１５と後壁面１６とを挟み込むように、右手でケース１１を把持するに際し、レリーズボタン２５に人差し指を宛がい、かつ滑止部２２に親指を宛がい、しかも前壁面１５側から親指側へケース１１を押圧した状態（図９参照）において、後壁面１６と協働して親指の付け根近傍の掌に調和するように後壁面１６との近接位置における後壁面１６との角度が鈍角に設定されている。ここで、調和するようにとは、一般的な大きさ寸法の掌に対して、点や線で当接していると感じさせることなく、かつ滑らかな面で押圧力を分散させつつ掌の広範囲に渡って面で当接する状態をいう。
【００４８】
本実施例のカメラ１０では、掌調和壁面４３が、上下方向に直交する断面で見ると、仮想中心Ｒを中心とする曲面に沿うように湾曲されている。また、掌調和壁面４３に近接する後方ケース１４の後方右側壁面１４ｂが、仮想中心Ｒを中心としつつ掌調和壁面４３よりも小さな半径からなる曲面に沿うように湾曲されている。そして、ストラップ取付部４０の掌調和壁面４３のうち、後方ケース１４の後方右側壁面１４ｂに近接する箇所が、角を落とされて（面取りされて）曲面とされている。さらに、後方ケース１４において後方右側壁面１４ｂから後壁面１６に至る間が角を落とされて（面取りされて）曲面とされている。
【００４９】
また、本実施例のカメラ１０では、前方ケース１２の前方右側壁面１２ｂが、取付前壁面４２に隣接する後端位置１２ｃから、前方へ向かうに連れて左側へ向かうように前後方向に対して傾斜する構成とされている。このため、突条体４１の右側輪郭稜線４４（取付前壁面４２と掌調和壁面４３との稜線）が左右方向で見てケース１１の右側端に位置することとなるとともに、掌調和壁面４３およびそれを延長させて形成される仮想側面Ｉ（仮想中心Ｒを中心とする曲面）がケース１１の右側部における最外郭に位置することとなる。本実施例のカメラ１０では、この突条体４１に、ストラップ挿通孔４５と、端子格納空間５０と、この端子格納空間５０を遮蔽可能な端子遮蔽蓋５１とが設けられてストラップ取付部４０が構成されている。
【００５０】
ストラップ挿通孔４５は、図６に示すように、一端が掌調和壁面４３を開口する後端開口部４６と、かつ他端が取付前壁面４２を開口する前端開口部４７とを連通するように突条体４１を貫通して形成されている。本実施例では、掌調和壁面４３には、後端開口部４６として、第１後端開口部分４６ａと、そことは独立して下方に位置する第２後端開口部分４６ｂとが設けられている。第１後端開口部分４６ａは、幅方向（上下方向に直交する面に沿う方向）で見て掌調和壁面４３の略中央位置で、掌調和壁面上端部４３ａから上下方向に沿って掌調和壁面４３における中間位置近傍まで延在された長孔である。第２後端開口部分４６ｂは、第１後端開口部分４６ａと上下方向で直列するように形成され、第１後端開口部分４６ａよりも短い長さ寸法とされている。
【００５１】
また、本実施例では、取付前壁面４２には、前端開口部４７として、第１後端開口部分４６ａに対応する第１前端開口部分４７ａと、第２後端開口部分４６ｂに対応する第２前端開口部分４７ｂとが設けられている。第１前端開口部分４７ａおよび第２前端開口部分４７ｂは、前方ケース１２の前方右側壁面１２ｂの後端位置１２ｃと隣接する構成とされている。このため、ストラップ取付部４０の左右方向で見た幅寸法、すなわち中間ケース１３が、突条体４１を形成すべく前方ケース１２および後方ケース１４よりも右側に延出される量（長さ寸法）を最小限に抑えることができる。
【００５２】
このように、カメラ１０では、ストラップ挿通孔４５として、第１後端開口部分４６ａから第１前端開口部分４７ａに至る貫通孔である第１ストラップ挿通孔４５ａと、当該第１ストラップ挿通孔４５ａの下方に位置し第２後端開口部分４６ｂから第２前端開口部分４７ｂに至る貫通孔である第２ストラップ挿通孔４５ｂとが設けられている。この第１ストラップ挿通孔４５ａおよび第２ストラップ挿通孔４５ｂにより、突条体４１の掌調和壁面上端部４３ａ近傍に柱状部４８、４８が形成されることとなり、当該柱状部４８、４８にストラップが適宜巻きつけられることとなる。このため、第１ストラップ挿通孔４５ａと第２ストラップ挿通孔４５ｂとを区画する区画壁部４９は、柱状部４８、４８の強度を確保するためのリブとしても機能する。このことから、柱状部４８、４８の強度が十分に確保できる場合、区画壁部４９に代えて、単に第１後端開口部分４６ａと第２後端開口部分４６ｂとを区画する後端区画壁部と、単に第１前端開口部分４７ａと第２前端開口部分４７ｂとを区画する前端区画壁部とを設け、当該４つの開口部分４６ａ、４６ｂ、４７ａ、４７ｂの各々が連通する構成としてもよい。この第２ストラップ挿通孔４５ｂの下方に、端子格納空間５０（図７（ｂ）参照）および端子遮蔽蓋５１が設けられている。
【００５３】
図７に示すように、端子格納空間５０は、掌調和壁面４３を略矩形状に開口するように突条体４１が穿設されて形成され、カメラ機構（図示せず）と当該カメラ機構以外の機器との接続を可能とする接続端子を収容している。本実施例では、図７（ｂ）に示すように、端子格納空間５０には、ＡＶケーブル端子５２の接続が可能とされたＡＶ出力端子５３と、ＵＳＢ（Ｕｎｉｖｅｒｓａｌ  Ｓｅｒｉａｌ  Ｂｕｓ）ケーブル端子５４の接続が可能とされたＵＳＢ端子５５とが設けられている。この端子格納空間５０の開口部５６を開閉すべく端子遮蔽蓋５１が設けられている。
【００５４】
端子遮蔽蓋５１は、閉成状態Ｃ（図７（ａ）参照）では、掌調和壁面４３の一部および取付前壁面４２の一部を構成可能とされている。本実施例では、端子遮蔽蓋５１は、端子格納空間５０の開口部５６において、前端側に沿って延在する軸部材５７を回転自在に支承するヒンジ機構として構成され、開成状態Ｏ（図７（ｂ）参照）および閉成状態Ｃ（図７（ａ）参照）の双方で固定可能な構成とされている。詳細には、端子遮蔽蓋５１は、図８に示すように、掌調和壁面４３の一部を構成しつつ端子格納空間５０の開口部５６を遮蔽可能な端子遮蔽蓋部５８と、そこに連続し軸部材５７を支承する支承部５９と、支承部５９から見て端子遮蔽蓋部５８とは対向側に突起し支承部５９と一体的に回動する固定突起部６０とを有している。
【００５５】
軸部材５７は、端子格納空間５０の前方側で隣接して設けられた開閉機構収容空間６２の開口部近傍に設けられている。この開閉機構収容空間６２には、軸部材５７よりも内方位置（左側）に弾性変形可能な板部材６１が設けられている。
【００５６】
板部材６１は、軸部材５７回りに回転される支承部５９に設けられた固定突起部６０の先端が端子遮蔽蓋部５８の開閉に伴って描く円軌道を直線上に横切るように設けられており、端子遮蔽蓋部５８が中間状態Ｍ（図８（ｂ）参照）とされている際、固定突起部６０が当接されることにより最も大きな撓み変形となる位置設定とされている。これにより、端子遮蔽蓋５１は、開成状態Ｏ（図８（ｃ）参照）および閉成状態Ｃ（図８（ａ）参照）では、中間状態Ｍ（図８（ｂ）参照）へ向けて回動するには固定突起部６０が板部材６１を撓み変形させる必要があることから、板部材６１の弾性力により開成状態Ｏ（図８（ｃ）参照）および閉成状態Ｃ（図８（ａ）参照）が維持されることとなる。
【００５７】
本実施例のカメラ１０は、例えば、図９に示すように、右手ＲＨの掌でストラップ取付部４０を覆うように前壁面１５と後壁面１６とで挟み込んでケース１１を右手ＲＨで把持されつつ、左手ＬＨでケース１１の左側部を支えられて撮影操作されるものとする。このとき、カメラ１０の構成上理想的には、右手ＲＨにおいて、親指が滑止部２２に宛がわれ、人差し指がレリーズボタン２５に宛がわれ、中指等がケース１１の前壁面１５（図５参照）に宛がわれ、この前壁面１５側から親指側へケース１１を押しつけるように把持した状態で、人差し指によりレリーズボタン２５の押圧操作が行われる。
【００５８】
この図９のように把持した際、カメラ１０では、突条体４１の右側輪郭稜線４４（取付前壁面４２と掌調和壁面４３との稜線）が左右方向で見てケース１１の右側端に位置することとなるとともに、掌調和壁面４３およびそれを延長させて形成される仮想側面Ｉがケース１１の右側部における最外郭に位置することから、右手ＲＨの親指の付け根近傍の掌が主に所定の幅寸法とされた掌調和壁面４３に面当接されることとなり、かつストラップ取付部４０を掌で覆うべく丸められた掌に対して違和感を覚えさせるような突起物として当接することはない。
【００５９】
また、図９のように把持した際、カメラ１０では、後方ケース１４の後方右側壁面１４ｂは、掌調和壁面４３と同一の仮想中心Ｒを中心としつつ掌調和壁面４３よりも大きな曲率（小さな半径）でかつ掌調和壁面４３よりも内方に位置していることから、右手ＲＨの親指の付け根近傍の掌が所定の幅寸法とされた掌調和壁面４３に面当接された際に、後方ケース１４において後方右側壁面１４ｂから後壁面１６に至る間が、把持する右手ＲＨの掌に対して違和感を覚えさせるような突起物として当接することはない。
【００６０】
さらに、図９のように把持した際、カメラ１０では、掌調和壁面４３が、中間ケース１３の中間上壁面１３ｂと中間底壁面１３ｃとを滑らかに連続する帯状面で環を描くように滑らかに連続しつつ上下方向に架け渡していることから、右手ＲＨにおいて、レリーズボタン２５を押圧操作する人差し指から掌調和壁面４３に面当接された親指の付け根近傍の掌に至る間に対して、中間上壁面１３ｂから掌調和壁面４３に至る間が違和感を覚えさせるような突起物として当接することはない。
【００６１】
本実施例のカメラ１０では、ストラップ取付部４０のストラップ挿通孔４５が、一端となる後端開口部４６が突条体４１において後方に臨む掌調和壁面４３を開口し、かつ他端となる前端開口部４７が突条体４１において前方に臨む取付前壁面４２を開口する構成であることから、例えば、図１０に示すように、ストラップ挿通孔４５（第１ストラップ挿通孔４５ａ、第２ストラップ挿通孔４５ｂ）にストラップ（符号Ｓ、Ｓｂ参照）を容易に挿通して取り付けることができる。
【００６２】
カメラ１０では、使用者が第１ストラップ挿通孔４５ａと第２ストラップ挿通孔４５ｂとを適宜選択してストラップＳを取り付けることができるので、使用者の多様な要求に応じることができる。
【００６３】
カメラ１０では、ストラップ挿通孔４５が、カメラ機構（図示せず）を収容するための機構収容空間２６の右側部の一部を画成する中間ケース１３の右側隔壁部１３ａよりも右側（ケース１１から見て外方）で突条体４１を貫通する構成とされていることから、機構収容空間２６としての領域を侵害することなく機構収容空間２６から隔たれており、機構収容空間２６の容積を低減させることなくストラップの取り付けを容易なものとすることができる。このため、近年の各種機能を向上させつつ小型化することが求められているカメラひいては携帯用小型電子機器に好適である。
【００６４】
カメラ１０では、第１ストラップ挿通孔４５ａが長孔とされていることから、図１０に示すように、帯状のストラップＳｂであっても、容易に装着することができる。
【００６５】
カメラ１０では、第１ストラップ挿通孔４５ａが長孔とされていることから、例えば、図１１に示すように、第１ストラップ挿通孔４５ａにストラップＳを装着して、非使用時には、第１ストラップ挿通孔４５ａにおける下端近傍に取り付けることにより（一点鎖線で示すストラップＳ参照）、首または手首等からぶら提げた状態においてカメラ１０が傾くことを防止し、使用時（撮影時）には、第１ストラップ挿通孔４５ａの最上端位置までストラップＳをずらすことにより（実線で示すストラップＳ参照）、ケース１１の右側端部を把持しつつ操作する右手ＲＨ（図９参照）にストラップＳが干渉することを防止することができる。
【００６６】
カメラ１０では、カメラ機構（図示せず）と当該カメラ機構以外の機器と接続する際、端子格納空間５０の開口部５６を開閉可能とされた端子遮蔽蓋５１が開成状態Ｏ（図７（ｂ）および図８（ｃ）参照）で固定されることから、接続端子（本実施例では、ＡＶ出力端子５３、ＵＳＢ端子５５）への外部機器の接続（本実施例では、ＡＶケーブル端子５２、ＵＳＢケーブル端子５４）が容易である。
【００６７】
カメラ１０では、カメラ機構（図示せず）と当該カメラ機構以外の機器と接続しない状態において、端子遮蔽蓋５１が、掌調和壁面４３の一部を構成するように端子格納空間５０を遮蔽可能な構成とされていることから（図７（ａ）参照）、端子格納空間５０が設けられていることに起因して外観の装飾性が損なわれることはない。
【００６８】
カメラ１０では、カメラ機構（図示せず）と当該カメラ機構以外の機器と接続しない状態において、端子格納空間５０の開口部５６を開閉可能とされた端子遮蔽蓋５１が閉成状態Ｃ（図７（ａ）および図８（ａ）参照）で固定されることから、端子遮蔽蓋５１が意図に反して開くことを防止することができる。
【００６９】
カメラ１０では、端子格納空間５０を開閉する端子遮蔽蓋５１において、開成状態Ｏ（図７（ｂ）および図８（ｃ）参照）および閉成状態Ｃ（図７（ａ）および図８（ａ）参照）での固定を可能とする機構を、ケース１１が画成する機構収容空間２６よりも外方位置に延出された突条体４１に設けているので、当該機構を設けるためにケース１１を大きくしたり当該機構を機構収容空間２６に食い込ませて設けたりする必要がない。
【００７０】
カメラ１０では、前方から正面視した場合（図１参照）であっても後方から正面視した場合（図２参照）であっても、ストラップ取付部４０がカメラ１０（ケース１１）の側端部で一定の幅寸法で上下方向に延在していることから、ストラップ取付部４０が設けられていることに起因して外観の装飾性が損なわれることはなく、むしろ装飾性を高めている。
【００７１】
カメラ１０では、前方ケース１２の前方右側壁面１２ｂが、取付前壁面４２に隣接する後端位置１２ｃから、前方へ向かうに連れて左側へ向かうように前後方向に対して傾斜する構成とされていることから、前方から正面視した場合（図１参照）、同じ大きさ寸法であってもより引き締まった印象を与えることができる。
【００７２】
カメラ１０では、第１前端開口部分４７ａおよび第２前端開口部分４７ｂが、前方ケース１２の前方右側壁面１２ｂの後端位置１２ｃと隣接する構成とされているため、ストラップ取付部４０の左右方向で見た幅寸法を、換言するとケース１１の左右方向で見た幅寸法を最小限に抑えることができる。
【００７３】
カメラ１０では、中間ケース１３を、前方ケース１２および後方ケース１４よりも右側へ延出させ、かつ中間上壁面１３ｂと中間底壁面１３ｃとが掌調和壁面４３を経て滑らかに連続する帯状面で環を描く構成とし、突条体４１の右側輪郭稜線４４（取付前壁面４２と掌調和壁面４３との稜線）が左右方向で見てケース１１の右側端に位置させているため、ストラップ取付部４０は、ケース１１における右端の輪郭を右側輪郭稜線４４でケース１１全体から見て違和感なく一体的に形成しつつ、機構収容空間２６の容積を低減させることを防止すべく機構収容空間２６よりも外方位置にストラップ挿通孔４５を設けることが可能とされている。このため、上記したように、撮影操作すべく把持した手（上記した例では右手ＲＨ）に違和感を覚えさせることなく、ストラップを容易に取り付けることを可能とし、全体的な装飾性を高めつつ小型化することを可能としている。
【００７４】
したがって、本発明に係るカメラ１０では、ケース１１の機構収容空間２６の容積を低減させることなく、ストラップのストラップ挿通孔４５への挿通を容易なものとしかつケース１１が把持された際に違和感を覚えることを防止することができる。
【００７５】
なお、上記した実施例では、ストラップ取付部４０が、一端が掌調和壁面４３に開口しかつ他端が取付前壁面４２に開口する第１ストラップ挿通孔４５ａおよび第２ストラップ挿通孔４５ｂが突条体４１に設けられて形成されていたが、ケース１１の機構収容空間２６の容積を低減させることなく、ストラップＳのストラップ挿通孔４５への挿通を容易なものとしかつケース１１が把持された際に違和感を覚えることを防止することができるものであればよく、上記した実施例に限定されるものではない。例えば、図１２ないし図１６に示す構成のカメラ１０´とすることができる。カメラ１０´では、突条体４１´が、上下方向に直交する面沿う断面で見て、取付前壁面４２´から掌調和壁面４３´を経て取付後壁面６２に至る構成とされ、第１ストラップ挿通孔４５ａ´および第２ストラップ挿通孔４５ｂ´（ストラップ挿通孔４５´）が、一端が取付後壁面６２を開口しかつ他端が取付前壁面４２´を開口するように、突条体４１´を貫通している。カメラ１０´では、第１ストラップ挿通孔４５ａ´および第２ストラップ挿通孔４５ｂ´の下方に、端子格納空間５０（図７参照）を設けることに代えて上下方向に長孔とされた第３ストラップ挿通孔４５ｃが設けられている。ここで、カメラ１０´における掌調和壁面４３´は、上下方向に直交する面に沿う断面で見た延在方向と、ストラップ挿通孔４５´の一端が設けられていないこととが異なる以外は、カメラ１０の掌調和壁面４３と同様の構成とされている。このカメラ１０´であっても、カメラ１０と同様に、ケース１１の機構収容空間２６の容積を低減させることなく、ストラップのストラップ挿通孔４５への挿通を容易なものとしかつケース１１が把持された際に違和感を覚えることを防止することができる。また、第３ストラップ挿通孔４５ｃにおいても、第１ストラップ挿通孔４５ａ´と同様に帯状のストラップＳｂ（図１０参照）の挿通が可能であるとともに、取り付けたストラップＳの位置を用途に応じて適宜ずらすこと（図１１参照）ができる。このように、ストラップ挿通孔４５は、単一であってもよく、複数設けられていてもよい。なお、ストラップ挿通孔４５を複数設ける場合、ストラップ取付部４０をケース１１から偏向側壁の外方へ（上記した実施例では中間ケース１３の右側隔壁部１３ａから右側へ）の延出量を小さくする観点から、上記した実施例のように、掌調和壁面４３の延在方向に沿って直列的に設けることが望ましい。
【００７６】
また、上記した実施例では、ケース１１が把持された際に違和感を覚えることが防止されていることを説明する際、ケース１１を把持する一例として図９のように右手ＲＨでカメラ１０を把持した状態をあげて右手ＲＨの掌に違和感を覚えさせることがないことを述べたが、ストラップ挿通孔４５が設けられた側でケース１１を把持しつつ操作をする状態であればよく、上記した実施例に限定されるものではない。
【００７７】
さらに、上記した実施例では、ケース１１の上壁面１７においてレリーズボタン２５が右側に偏向されていたことから、ストラップ挿通孔４５がケース１１における右側端の輪郭を形成する構成とされていたが、例えば、レリーズボタン２５が左側に偏向されている場合はストラップ挿通孔４５がケース１１における左側端の輪郭を形成する構成とすることとなり、上記した実施例に限定されるものではない。
【００７８】
上記した実施例では、ケース１１が、前後方向で見て前側から前方ケース１２、中間ケース１３および後方ケース１４が重ねられた構成とされていたが、機構収容空間２６を画成するものであれば、単一のケースとして構成されていても、前方ケースと後方ケースとが重ねられた構成とされていてもよく、上記した実施例に限定されるものではない。いずれの場合であっても、ケース１１と一体的に外方へ延出されかつ上壁面１７と底壁面１８とを滑らかな一様な面で上下方向に架け渡す掌調和壁面４３を有する突条体４１を設け、掌調和壁面４３を、当該掌調和壁面４３を延長して形成した仮想側面Ｉよりもケース１１における偏向側壁（２７）をレリーズボタン２５側に位置させるように設定され、かつ掌への押圧力を分散させるべく架け渡し方向に直交する方向で見て所定の長さ寸法とする。
【００７９】
上記した実施例では、端子遮蔽蓋５１を端子遮蔽蓋部５８と支承部５９と固定突起部６０とにより形成するとともに、固定突起部６０が支承部５９と一体的に回動することにより描く円形の軌跡上を横切るように板部材６１を設けることにより、開成状態Ｏ（図７（ｂ）および図８（ｃ）参照）および閉成状態Ｃ（図７（ａ）および図８（ａ）参照）での固定を可能とする構成とされていたが、開成状態Ｏおよび閉成状態Ｃでの固定を可能とするものであれば、例えば、端子遮蔽蓋５１に係合可能な突起を設けることにより開成状態Ｏおよび閉成状態Ｃに固定する構成であってもよく、上記した実施例に限定されるものではない。
【００８０】
上記した実施例では、端子格納空間５０には、ＡＶ出力端子５３とＵＳＢ端子５５とが設けられていたが、外部電子機器への接続を可能とする接続端子が設けられていればよく、上記した実施例に限定されるものではない。
【００８１】
上記した実施例では、携帯可能な小型電子機器の一例としてカメラ１０があげられていたが、ストラップ取付部が、左右いずれかの側面に配され、側面が位置される側で機構収容空間を画成する画成側壁からケースと一体的に外方へ延出されかつ上壁面と底壁面とを滑らかな一様な面で上下方向に架け渡す掌調和壁面を有する突条体に、ストラップの挿通を許しつつ機構収容空間から隔たれたストラップ挿通孔が形成されて構成され、掌調和壁面が、掌調和壁面を延長して形成した仮想側面よりもケースにおける画成側壁を内方に位置させるように設定され、かつ掌への押圧力を分散させるべく架け渡し方向に直交する方向で見て所定の長さ寸法とされているものであれば、携帯電話、ＰＤＡ（Ｐｅｒｓｏｎａｌ Ｄｉｇｉｔａｌ Ａｓｓｉｓｔａｎｔ：携帯情報端末）、携帯型音楽プレーヤー等であってもよく、上記した実施例に限定されるものではない。
【００８２】
以上、本発明を実施例に基づき詳述してきたが、この具体的な構成に限らず、本発明の趣旨を逸脱しない程度の設計的変更は、本発明の技術的範囲に含まれる。
【図面の簡単な説明】
【００８３】
【図１】本発明に係るカメラを正面から見た模式的な正面図である。
【図２】本発明に係るカメラを背面から見た模式的な背面図である。
【図３】図２の矢印Ａ１から見たカメラの模式的な右側面図である。
【図４】本発明に係るカメラを上方から見た模式的な上面図である。
【図５】図４においてストラップ取付部近傍を部分的に拡大して示す上面図である。
【図６】図５の矢印Ａ２から見たカメラの模式的な斜視図である。
【図７】図５の矢印Ａ３から見たカメラの模式的な斜視図であり、（ａ）は端子遮蔽蓋が閉成状態とされている様子を示し、（ｂ）は端子遮蔽蓋が開成状態とされている様子を示している。
【図８】図７（ａ）のＩ−Ｉ線に沿って得られた模式的な断面図であり、（ａ）は端子遮蔽蓋が閉成状態とされている様子を示し、（ｂ）は端子遮蔽蓋が中間状態とされている様子を示し、（ｃ）は端子遮蔽蓋が開成状態とされている様子を示している。
【図９】カメラが把持されている様子を説明するための模式的な斜視図である。
【図１０】カメラにストラップが取り付けられた様子を説明するための模式的な正面図である。
【図１１】カメラにストラップが取り付けられ図１０とは異なる様子を説明するための模式的な背面図である。
【図１２】本発明に係る他の例のカメラを正面から見た模式的な正面図である。
【図１３】本発明に係る他の例のカメラを背面から見た模式的な背面図である。
【図１４】図２の矢印Ａ１から見た他の例のカメラの模式的な右側面図である。
【図１５】本発明に係る他の例のカメラを上方から見た模式的な上面図である。
【図１６】図１５の矢印Ａ４から見たカメラの模式的な斜視図である。
【符号の説明】
【００８４】
１０  カメラ
１１  ケース
１２  前方ケース
１３  中間ケース
１４  後方ケース
１５  前壁面
１６  後壁面
１７  上壁面
１８  底壁面
２２  滑止部
２５  レリーズボタン
２６  機構収容空間
２７  （偏向側壁としての）右側壁
４０  ストラップ取付部
４１  突条体
４２  取付前壁面
４３  掌調和壁面
４５  ストラップ挿通孔
４６  後端開口部
４６ａ、４６ｂ  後端開口部分
４７  前端開口部
４７ａ、４７ｂ  前端開口部分
５０  端子格納空間
５１  端子遮蔽蓋
Ｉ  仮想側面
Ｓ、Ｓｂ  ストラップ
【図１】
2008203505.tif 000003
【図２】
2008203505.tif 000004
【図３】
2008203505.tif 000005
【図４】
2008203505.tif 000006
【図５】
2008203505.tif 000007
【図６】
2008203505.tif 000008
【図７】
2008203505.tif 000009
【図８】
2008203505.tif 000010
【図９】
2008203505.tif 000011
【図１０】
2008203505.tif 000012
【図１１】
2008203505.tif 000013
【図１２】
2008203505.tif 000014
【図１３】
2008203505.tif 000015
【図１４】
2008203505.tif 000016
【図１５】
2008203505.tif 000017
【図１６】
2008203505.tif 000018